(57)【特許請求の範囲】
【請求項１】
地中に打ち込まれる杭であって、
先端部から地中に向かう棒状の本体の頭部に、円形外周面をもつ被嵌部が形成され、この被嵌部の外周に標示付きのキャップが被せられ、
前記キャップは、外周が四角形であり、
前記本体は樹脂製で先端部が先細りの形状であり、
前記キャップの内面に先端側が弾性変形可能な係合片が形成され、
前記本体は、前記被嵌部に前記係合片が係止される係止部が形成され、
前記係止部は、上部側から下方に向かって径方向外方に傾斜し、前記キャップを前記被嵌部に上方から下方へ被せるときに前記係合片を弾性変形させながら案内するためのテーパ面と、前記テーパ面の下部側に設けられ、前記キャップを前記被嵌部から上方へ抜き出すときに前記係合片を係止保持して抜け止めするための係止段部とを備えているキャップ付きの杭。
【請求項２】
請求項１において、前記本体は丸棒により形成されているキャップ付きの杭。
【発明の詳細な説明】
【０００１】
【発明の属する技術分野】
この発明は、土地の境界や測量点などを表示するのに用いられるキャップ付きの杭に関するものである。
【０００２】
【従来の技術】
一般に、この種の杭は、先端部が地中に打ち込まれる棒状の本体の頭部に、土地の境界、測量点、埋設物などを示す標示が付された標示板を固定している。そして、土地の測量時等には、本体の頭部を叩いて先端部から地中に打ち込む。
【０００３】
【発明が解決しようとする課題】
ところが、以上の杭は、地中に打ち込むとき、標示板に付した標示が傷付いて不明瞭になり易い。また、地面から露出する頭部が本体と同一の材料、例えばリサイクル樹脂で形成されており、目的に応じて頭部の材質を選択できない。しかも、杭は、地中への打ち込み時に不測に回転することがあり、このとき、標示板に付した標示の方向が狂ってしまう。
【０００４】
本発明の目的は、標示を傷付けることなく、その明瞭性を確保し、しかも、本体の打ち込み時に、たとえ回転しても標示を正確に設定できるようにすることにある。
【０００５】
【課題を解決するための手段】
上記目的を達成するため、請求項１記載の杭は、地中に打ち込まれる杭であって、先端部から地中に向かう棒状の本体の頭部に、円形外周面をもつ被嵌部を形成し、この被嵌部の外周に標示付きのキャップを被せ、前記キャップは、外周が四角形であり、前記本体は樹脂製で先端部が先細りの形状であり、前記キャップの内面に先端側が弾性変形可能な係合片が形成され、前記本体は、前記被嵌部に前記係合片が係止される係止部が形成され、前記係止部は、上部側から下方に向かって径方向外方に傾斜し、前記キャップを前記被嵌部に上方から下方へ被せるときに前記係合片を弾性変形させながら案内するためのテーパ面と、前記テーパ面の下部側に設けられ、前記キャップを前記被嵌部から上方へ抜き出すときに前記係合片を係止保持して抜け止めするための係止段部とを備えている。
【０００６】
土地の測量を行うような場合は、先ず、キャップを取外した状態で本体のみを多数打ち込んで行き、この後、本体より小さな多数のキャップを持ち運んで、頭部の被嵌部に被せて行く。このようにすることにより、作業性を高めながら、キャップの標示を傷付けることなく、その明瞭性を確保できる。また、種々の材料からなるキャップを用意しておき、目的に合わせて選択したキャップを本体に被せることができる。さらに、本体の打ち込み後にキャップを被せるから、打ち込み時に本体が回転しても、キャップの標示を正しい方向に合わせて本体にキャップを被せればよいので、標示を正確に設定できる。また、キャップを被せたのちに標示を修正したい場合、キャップを被嵌部の円形外周面に沿って回転させることにより、標示が修正されて正しい位置に設定される。
また、前記キャップの外周を四角形としているから、キャップを回転して標示を正しい位置に修正するとき、このキャップを金具を用いて容易に回転させられる。
さらに、前記キャップの内面に形成された係合片が、弾性変形しながら前記被嵌部に設けた係止部のテーパ面で案内され、その下部の係止段部に係止保持されるので、キャップを被嵌部に回転可能で抜止め不能にワンタッチ装着できる。
【０００８】
本発明の好ましい実施形態では、前記本体を丸棒により形成している。この実施形態によれば、丸い頭部側にキャップを回転可能に被せ易い。
【０００９】
【発明の実施の形態】
以下、本発明の実施形態を図面に基づいて説明する。
図１は第１実施形態を示し、杭Ａは、細長い丸棒からなる本体１と、これとは別体の標示２０付きのキャップ２とで構成する。
【００１０】
前記本体１は、その下部に、地中に打ち込まれる先鋭状の先端部１１を有するとともに、上方の頭部１２側には、キャップ２が回転可能に被嵌される円形外周面をもった被嵌部１３を設けている。また、この被嵌部１３には、これに被せるキャップ２を回転可能で長手方向への抜止め不能に保持するための複数の係止部１４が形成されている。これら係止部１４は、図２で明らかなように、上部側から下方に向かって径方向外方に傾斜し、後述するキャップ２の係合片を案内するためのテーパ面１４ａと、このテーパ面１４ａの下部側に設けられ、係合片を係止保持するための係止段部１４ｂを備えている。
【００１１】
前記キャップ２は、図１に示すように、４つの縦壁２１と、その上部側に設けられた上壁２２をもち、下方に開口した四角形状とされ、この上壁２２の外表面に、標示２０の一例として土地の測量点を示す矢印を付している。また、図２に示すように、前記縦壁２１の内面には、先端側が上向き状とされ、前記係止部１４の係止段部１４ｂに係合する弾性変形可能な複数の係合片２３を一体に形成する。勿論、係合片２３を設けずに、縦壁２１の内面を円形に形成して、前記係止部１４の突出端との圧接ないし摩擦接触により、キャップ２の抜け止めを行ってもよい。
【００１２】
図２のキャップ２は、プラスチック製のものを示し、その成形時に係合片２３を一体に形成している。キャップ２は、アルミニウムやステンレスなどの金属で形成してもよく、これに係合片２３を設ける場合には、例えば縦壁２１に切り目を入れて、係合片２３を切り起こし手段により形成することができる。
【００１３】
ところで、設置場所などによっては、燃えにくい石、コンクリート、金属製などのキャップが、特に、重要場所に用いる場合は、外観良好な美しい石、金属、セラミックス製などのキャップが要求されることがある。これに対し、本発明は、本体とキャップが別体なので、種々の要求に応じてキャップのみを前記種々の形状のものに取り替えることができる。
【００１４】
そして、土地の測量などを行う場合で、図１の杭Ａを地中に打ち込むときには、次のような手順で行う。先ず、キャップ２を被せない状態で、頭部１２の被嵌部１３が地上に露出するように、本体１のみを多数地中に打ち込んで行く。このとき、頭部１２に緩く嵌まる打込み用のキャップを別途用意しておき、この打込み用キャップを頭部１２に被せて打ち込むことにより、頭部１２の傷みを防止できる。この後、多数のキャップ２を持ち運びながら、要求に応じた標示および材質のものを選択し、本体１の頭部１２に設けた被嵌部１３に順次被せて行く。このとき、キャップ２の標示２０を正しい方向に向けて、キャップ２を頭部１２に被せ、上方から押し込む。すると、キャップ２側の係合片２３が、弾性変形しながら被嵌部１３に設けた係止部１４のテーパ面１４ａで案内され、その下部の係止段部１４ｂに係止保持されるので、キャップ２を被嵌部１３に回転可能で抜止め不能にワンタッチ装着できる。
【００１５】
このように、標示を付する作業者は、予め本体１を打ち込んだのち、小さなキャップ２のみを持ち運んで、順次、本体１に被せればよいから、大きな本体１を持ち運ぶのに比べて、作業性がよい。また、打ち込み時にはキャップ２が装着されていないから、打ち込み作業によってキャップ２の標示２０を傷付けることがないので、標示の明瞭性を確保できる。
【００１６】
キャップ２を装着した後、測量点を示す標示２０を正しい方向に修正する必要が生じたときには、例えば図３のように、キャップ２に嵌合可能な四角形状の枠体３１と、握り部３２をもつ金具３を使用する。そして、地面Ｂに打ち込まれた本体１に被せたキャップ２の外周囲に枠体３１を嵌合し、握り部３２を把持して左右方向に回転させることにより、キャップ２を被嵌部１３の係止部１４に沿って回転させて、標示２０の方向を正しい位置に修正する。
【００１７】
前記被嵌部１３にキャップ２を被せるときには、その内部に接着剤を付けておくとよい。すると、標示２０の修正後に接着剤が硬化することにより、この標示２０を正確な位置に固定できる。なお、標示２０の修正は、以上の金具３のほかにスパナなどを用いて行ってもよい。
【００１８】
図４に示す第２実施形態では、本体１として細長い角棒を用いている。この本体１は、地中に正確かつ抵抗少なく打ち込むため、頭部１２を４角柱状とし、主部１５を長手方向に延びる４つの尾根部１６を有する横断面星形に形成して、この主部１５の下方に弾頭形状の先端部１１を設けている。そして、頭部１２の上方に、キャップ２が被せられる円柱状の被嵌部１３を突設している。この場合は、キャップ２の内部に被嵌部１３に嵌合可能な断面円形の嵌合凹部を形成して、この嵌合凹部を被嵌部１３に回転可能に保持させるようにする。
【００１９】
この第２実施形態の場合にも、前述した場合と同様に、本体１の地中への打ち込み後に、その被嵌部１３にキャップ２を被せる。この構成によっても、キャップ２の標示２０を傷付けることなく明確に表示できる。また、キャップ２を被嵌部１３に対し回転させることより、標示２０の向きの修正もできる。さらに、種々の要求に応じてキャップ２の材質が自由に選択可能となる。また、キャップ２と被嵌部１３を接着剤で一体化することにより、キャップ２がいたずら等により取り外されたりすることなく、その標示２０を正確な位置に固定できる。
【００２０】
以上の各図に示す本体１は、主に樹脂成形時に生じるかすや樹脂製品の廃物などを原料とするリサイクル樹脂を用い、本体１の成形時に被嵌部１３を一体に形成する。また、各図の実施形態では、外周が四角形のキャップ２を示したが、これは三角形、五角以上の多角形または円形であってもよい。
【００２１】
さらに、上記各実施形態では、被嵌部１３に複数の係止段部１４を形成したが、この係止段部１４は必ずしも設ける必要はなく、被嵌部１３は凹凸のない円周面をもつ円柱状に形成してもよい。その場合、キャップ２１の内周面に摩擦力を与えるための小さな凹凸を設けるのが好ましい。また、標示２０は、土地の測量点を示す矢印に限られるものではなく、埋設配管の位置、測量始点の方角など、種々の標示を使用できる。
【００２２】
【発明の効果】
以上のように、本発明によれば、キャップの標示を傷付けることなく、この標示の明瞭性を確保でき、しかも、種々の目的に応じて材質の異なる各種のキャップを自由に選択して取付けることができる。また、本体の打ち込み時に、たとえ回転しても標示を正確に表示できる。
【図面の簡単な説明】
【図１】本発明の第１実施形態に係るキャップ付きの杭の全体を示す一部切欠した斜視図である。
【図２】本体へのキャップの取付状態を示す断面図である。
【図３】標示を金具を用いて修正する場合の斜視図である。
【図４】第２の実施形態を示す斜視図である。
【符号の説明】
Ａ…杭、１…本体、１１…先端部、１２…頭部、１３…被嵌部、２…キャップ、２０…標示。
【図１】
0003730335.tif 000002
【図２】
0003730335.tif 000003
【図３】
0003730335.tif 000004
【図４】
0003730335.tif 000005